(57)【要約】【課題】形態が水棲虫に近似し、且つ泳ぐ姿が実際の水棲虫に近似するルアーの提供。【解決手段】このルアー１０は、本体１１とブレード１２とを有する。本体１１は、ブレード１２の嵌合部２４に貫通される。ブレード１２は、位置決め機構１３によって本体１１に位置決めされる。本体１１の幅寸法ｂは、１．５ｍｍ〜８．０ｍｍに設定され、ブレード１２の幅寸法は、４ｍｍ〜３０ｍｍに設定される。ブレード１２は、透明の樹脂により構成されている。ブレード１２は、本体１１に対して長手方向に沿ってスライド可能である。位置決め機構１３は、ブレード１２の嵌合部２４に本体１１が所定のはめあいにより嵌め合わされることにより実現される。本体１１の側面１７に切欠部１８が形成されている。【選択図】  図１
2004357597.tif 000002
【特許請求の範囲】
【請求項１】
細長帯状部材が湾曲又は屈曲されることにより水棲虫の姿態に似せられた本体と、
本体に設けられ、本体の幅方向に展開されたブレードとを備えたルアー。
【請求項２】
上記本体の幅方向寸法は、１．５ｍｍ〜８．０ｍｍに設定されており、上記ブレードの幅方向寸法は、４ｍｍ〜３０ｍｍに設定されている請求項１に記載のルアー。
【請求項３】
上記ブレードは、本体の幅方向及び長手方向に直交する方向に凸となるように湾曲又は屈曲されている請求項１又は２に記載のルアー。
【請求項４】
上記ブレードは、透明の樹脂により構成されている請求項１ないし３のいずれかに記載のルアー。
【請求項５】
上記ブレードが上記本体の長手方向に沿ってスライドすることを許容しつつ当該ブレードを所定の保持力で上記本体に位置決めする位置決め機構がさらに備えられている請求項１ないし４のいずれかに記載のルアー。
【請求項６】
上記位置決め機構は、
上記ブレードに設けられ、上記本体が長手方向に沿って貫通される本体貫通部を有し、
当該本体貫通部の内壁面形状が、上記本体の外形寸法に対して所定のはめあい状態となるように形成されることにより構成されている請求項５に記載のルアー。
【請求項７】
上記位置決め機構は、
上記本体の側面に長手方向に沿って複数並設された凹部をさらに備えている請求項６に記載のルアー。
【請求項８】
上記位置決め機構は、
上記本体の上面又は下面に長手方向に沿って複数形成された幅方向に延びる係合溝をさらに備えている請求項６に記載のルアー。
【請求項９】
上記位置決め機構は、
上記ブレードに設けられ、上記凹部と係合し得る凸部をさらに備えている請求項７に記載のルアー。
【請求項１０】
上記位置決め機構は、
上記ブレードに設けられ、上記係合溝と係合し得る係合爪をさらに備えている請求項８に記載のルアー。
【発明の詳細な説明】
【０００１】
【発明の属する技術の分野】
この発明は、釣りの際に使用されるルアー（疑似餌）の構造に関するものである。
【０００２】
【従来の技術及び発明が解決しようとする課題】
例えば、いわゆるフィッシュイーターと称される魚が釣りの対象となる場合には、疑似餌（ルアー）が使用される。ルアーの形態は、ターゲットとなる魚の習性等（例えば常時捕食している昆虫の種類等）が考慮されて構成されており、そのため、ルアーは、従来からさまざまな姿態を有するものが提供されている（例えば非特許文献１参照）。
【０００３】
図９は、その姿態がゴカイ等の水棲虫に似せられたルアーの斜視図である。このルアー１は、金属や樹脂等により細長の帯状に形成されており、特に「スプーン」と称されている。
ルアー１は、本体２の一端部３にリング４が設けられており、リング４にライン（釣糸）が連結される。また、本体２には、フック取付用のリング５が設けられており、これらリング５に釣針が係止される。
ルアー１は、釣人によって水中にキャストされ、釣人がラインをリーリングすることによって、ルアー１がリトリーブされ、水中を泳ぐ。
【０００４】
ところで、ルアー１は、その泳ぐ姿が生きた水棲虫に似ていることが重要であり、特に、ふらふらと水中を漂いながらリトリーブされることが望ましい。そのような泳ぎが確実に実現されるためには、ルアー１の幅寸法ａが大きく設定されることが必要である。
しかし、ルアー１の幅寸法ａが大きく設定されると、ルアー１の姿態は、ゴカイ等の水棲虫の姿態に近似しなくなるという不都合がある。
そこで、本発明の目的は、全体として形態が水棲虫に近似し、しかもリトリーブされる際の泳ぐ姿が実際の水棲虫のそれに近似するルアーを提供することである。
【０００５】
【非特許文献１】
株式会社シマノ  ２００３  Ｆｉｓｈｉｎｇ  Ｔａｃｋｌｅ  Ｃａｔａｌｏｇｕｅ（第２０１頁〜２１０頁）
【０００６】
【課題を解決するための手段】
（１）  上記目的が達成されるため、本願に係るルアーは、細長帯状部材が湾曲又は屈曲されることにより水棲虫の姿態に似せられた本体と、本体に設けられ、本体の幅方向に展開されたブレードとを備えたことを特徴とするものである。
この構成によれば、細長帯状部材が水棲虫の姿態に似るように所要の形状に湾曲又は屈曲されて本体が形成されるので、当該本体の形態は、生きた水棲虫に近似する。この本体には、ブレードが設けられる。ブレードは、本体の幅方向に展開されるものであるから、本体に対してその長手方向に流体が流れた場合に、本体は、非常に不安定に揺動する。
【０００７】
上記本体の幅方向寸法は、１．５ｍｍ〜８．０ｍｍに設定され、上記ブレードの幅方向寸法は、４ｍｍ〜３０ｍｍに設定されるのが好ましい。
本体及びブレードがかかる寸法に設定されることにより、本体の形態は水棲虫にきわめて近似する。特に、本体の幅寸法と縦寸法との比は、１：７〜１：３０の範囲に設定されることにより、本体は、より水棲虫の姿態に近似する。また、本体の長手方向に流体が流れた場合には、ブレードにより、当該本体が振動するように揺動する。
【０００８】
また、上記ブレードは、透明の樹脂により構成されるのが好ましい。ブレードが透明であれば、ルアーが水中に投入された場合に、ルアー全体としての形態が水棲虫の姿態にきわめて近似する。
【０００９】
さらに、上記ブレードは、本体の幅方向及び長手方向に直交する方向に凸となるように湾曲又は屈曲されているのが好ましい。
この構成では、本体の長手方向に流体が流れた場合には、ブレードによって流体の流れが乱される。これにより、本体は、さらに激しく揺動する。
【００１０】
（２）  上記ブレードが上記本体の長手方向に沿ってスライドすることを許容しつつ当該ブレードを所定の保持力で上記本体に位置決めする位置決め機構がさらに備えられているのが好ましい。
この構成では、位置決め機構によってブレードが本体に位置決めされる。しかも、このブレードは、位置決め機構によって、本体に対する相対的位置が変化される。本体に対するブレードの位置が変化されることによって、本体の長手方向に流体が流れた場合の当該流体の流れの状態が変化する。したがって、ブレードの位置によって本体の揺動の態様が変化し、ブレードの位置が所定の位置に設定されることによって、釣人の所望の揺動態様が決定される。
【００１１】
（３）  上記位置決め機構は、上記ブレードに設けられ、上記本体が長手方向に沿って貫通される本体貫通部を有し、当該本体貫通部の内壁面形状が、上記本体の外形寸法に対して所定のはめあい状態となるように形成されることにより構成される。
この構成では、本体がブレードの本体貫通孔に貫通されることによって、両者のはめあいによって両者間に所定の静摩擦力が生じる。この静摩擦力によって、ブレードは本体に保持され、また、この静摩擦力よりも大きな力がブレードに加えられることによって、ブレードが本体に対して相対移動される。
【００１２】
（４）  上記位置決め機構は、上記本体の側面に長手方向に沿って複数並設された凹部をさらに備えているのが好ましい。
この構成では、本体の側面は、いわゆる粗面に形成されることになる。したがって、本体とブレードとの間に生じる上記静摩擦力がさらに大きくなり、ブレードは、より確実に本体に位置決めされる。
【００１３】
また、上記位置決め機構は、上記本体の上面又は下面に長手方向に沿って複数形成された幅方向に延びる係合溝をさらに備えていてもよい。
この場合では、本体の上面又は下面は、いわゆる粗面に形成されることになる。したがって、本体とブレードとの間に生じる上記静摩擦力がさらに大きくなり、ブレードは、より確実に本体に位置決めされる。
【００１４】
（５）  上記位置決め機構は、上記ブレードに設けられ、上記凹部と係合し得る凸部をさらに備えているのが好ましい。
この構成では、ブレードに設けられた凸部が上記凹部と係合するので、ブレードは、一層確実に本体に位置決めされる。
【００１５】
また、上記位置決め機構は、上記ブレードに設けられ、上記係合溝と係合し得る係合爪をさらに備えていてもよい。
この場合では、ブレードに設けられた係合爪が上記係合溝と係合するので、ブレードは、一層確実に本体に位置決めされる。
【００１６】
【発明の実施の形態】
以下、適宜図面が参照されつつ、好ましい実施形態に基づいて本発明が詳細に説明される。
【００１７】
＜第１の実施形態＞
図１は、本発明の第１の実施形態に係るルアー１０の斜視図である。また、図２は、図１におけるＩＩ−ＩＩ断面図、図３は、図１におけるＩＩＩ−ＩＩＩ断面図である。
【００１８】
このルアー１０は、いわゆる「スプーン」と称されるタイプのものであり、本体１１と、ブレード１２とを有し、さらに、ブレード１２を本体１１に位置決めする位置決め機構１３が備えられている。
【００１９】
本体１１は、真鍮等の金属により構成されている。もっとも、本体１１を構成する材料は、真鍮のほかに、耐腐食性に優れた他の金属が採用され得る。
本体１１は、同図が示すように、細長帯状に形成されている。本体１１の幅寸法ｂは、１．５ｍｍ〜８．０ｍｍの範囲で設定され、本体１１の長手方向寸法ｃは、１０ｍｍ〜２４０ｍｍの範囲で設定される。また、本体１１の厚み寸法ｄは、０．５ｍｍ〜４．０ｍｍの範囲で設定される。本実施形態では、特に、上記寸法ｂ＝３．０ｍｍ、上記寸法ｃ＝６０ｍｍ、上記寸法ｄ＝１．０ｍｍに設定されている。
【００２０】
本体１１は、図１が示すように、その形態がゴカイ等の水棲虫の姿態に似せられており、頭部１４、中間部１５及び尾部１６に区分けされる。これら頭部１４、中間部１５及び尾部１６は、滑らかに連続して構成されており、特に尾部１６は、上方へ大きく湾曲されている。尾部１６に連続する中間部１５は、略直線状に形成されており、中間部１５に連続する頭部１４は、昼間部１５から若干下方へ屈曲されている。
なお、このような本体１１の形態は、水中を泳ぐ水棲虫の姿に似せたものであるが、水中を泳ぐ水棲虫の姿はさまざまに変化するものであるから、本体１１の形態は、これに限定されるものではなく、水棲虫が水中で実際に見せる姿に似ているのであれば、他の形態も採用され得る。
【００２１】
さらに、本実施形態では、本体１１の側面１７に切欠部１８（凹部）が形成されている。この切欠部１８は、本実施形態では、図１が示すように略三角形状に形成されており、本体１１の長手方向に沿って規則的に複数設けられている。なお、切欠部１８の形状は、略三角形状に限定されるものではなく、他の多角形状のほか、円弧状に形成されていてもよい。要するに、本体１１の側面１７に凹部が形成されていればよい。
【００２２】
また、本体１１の上面１９に、本体１１の幅方向に沿って細溝２０（係合溝）が形成されている。この細溝２０は、本体１１の長手方向に沿って規則的に複数設けられている。本実施形態では、細溝２０は、本体１１の両側面１７に設けられた切欠部１８同士を繋ぐように形成されている。
【００２３】
このように切欠部１８及び細溝２０が設けられることによって、本体１１によって水棲虫の節が表現される。これにより、本体１１の形態は、水棲虫の姿態に一層似たものとなる。なお、細溝２０は、本体１１の裏面側にも設けられているのが好ましく、これにより、本体１１の形態は、より一層水棲虫の姿態に似たものとなる。
【００２４】
また、本体１１の頭部１４の先端部には、孔２１が設けられている。この孔２１は、ライン（道糸）が連結されるスプリットリングが装着されるようになっている。さらに、本体１１の中間部１５及び尾部１６には、フック（釣針）が装着される係止具２２が取り付けられている。この係止具２２は、例えばステンレス鋼からなる線材が略Ω字状に湾曲形成されたものであり、本体１１の裏面側から上面１９側に貫通されることによって本体１１に固定されている。
【００２５】
ブレード１２は、図１が示すように、全体として略楕円形状に形成されている。ブレード１２は、樹脂、ゴムのほか金属等により構成され得るが、本実施形態では、スチレン−ブタジエン共重合体樹脂により構成されている。しかも、本実施形態では、ブレード１２は、透明に構成されている。
【００２６】
ブレード１２は、楕円状に形成された平板部２３と、平板部２３の下面側に設けられた嵌合部２４（本体貫通部）とを備えている。
図１〜図３が示すように、平板部２３の幅方向寸法ｓ（すなわち、ブレード１２の幅方向寸法）は、４ｍｍ〜３０ｍｍに設定され得るものであるが、特に、本実施形態では、１２ｍｍに設定されている。また、平板部２３の厚み寸法ｔは、０．５ｍｍ〜４．０ｍｍの範囲で設定され得るものであり、特に、本実施形態では、１．０ｍｍに設定されている。
【００２７】
また、平板部２３は、本体１１の幅方向に沿って湾曲され、且つ本体１１の長手方向に沿って湾曲されている。すなわち、平板部２３は、本体１１の上面１９に直交する方向（本体１１の幅方向及び長手方向の双方に直交する方向）の下方に凸となるように、器状に形成されている。
なお、平板部２３は、かかる器状に形成されるほかに、平面上に形成されていてもよいことは勿論である。
【００２８】
嵌合部２４は、略Ｕ字状に形成されている。具体的には、嵌合部２４は、一対のＬ字状部材２５、２６が互いに対向するように配置されており、これら一対のＬ字状部材２５、２６によって略Ｕ字状の嵌合部２４が構成されている。Ｌ字状部材２５、２６は、図２が示すように左右対称形状に形成されており、各Ｌ字状部材２５、２６は、平板部２３の下面に一体的に形成されている。
なお、各Ｌ字状部材２５、２６が一体的に形成されていてもよい。すなわち、嵌合部２４は、平板部２３と一体的に略Ｕ字状に形成されていてもよい。
【００２９】
本体１１は、嵌合部２４に貫通されるようになっており、これによって、ブレード１２が本体１１に取り付けられるようになっている。ブレード１２の平板部２３の幅方向寸法ｓが上記寸法に設定されているから、ブレード１２が本体１１に取り付けられた状態では、ブレード１２は、本体１１の幅方向に展開された状態となる。
【００３０】
位置決め機構１３は、上記嵌合部２４によって構成されている。
嵌合部２４の内壁面形状は、本体１１の幅寸法ｂに対応されている。具体的には、嵌合部２４の壁面間距離ｆ（対向する各Ｌ字状部材２５、２６の対向面間の距離）は、本体１１の幅寸法ｂと同様に１．５ｍｍ〜８．０ｍｍに設定されており、本体１１との間で所定のはめあい（ｆ＝ｂ−０．０１ｍｍ〜ｂ−０．０３ｍｍ）となるように寸法ｆが仕上げられている。
したがって、本体１１が嵌合部２４に貫通された状態では、本体１１と嵌合部２４との間に上記はめあいに起因した所定の静摩擦力が生じる。この摩擦力によって、ブレード１２は、本体１１に対して所定の保持力で位置決めされる。
【００３１】
このルアー１０は、前述のように、本体１１の孔２１にスプリットリングを介してラインが連結され、係止具２２にフックが取り付けられる。釣人は、ロッドを使用し、このルアー１０を水中へとキャストする。そして、ラインがリーリングされることによって、ルアー１０がリトリーブされる。
このとき、本体１１の形態が生きた水棲虫の姿態に近似しているから、ルアー１０は、疑似餌としての効果は絶大である。
【００３２】
また、ルアー１０がリトリーブされたときは、本体１１に対してその長手方向に相対的に水が流れることになるが、本体１１にブレード１２が設けられており、ブレード１２は、本体１１の幅方向に展開されているから、本体１１は、リトリーブ方向を中心として非常に不安定に揺動する。
したがって、ルアー１０は、全体としての形態が水棲虫に近似しつつ、しかもその泳ぐ姿が生きた水棲虫に似たものとなるので、釣人は、水中での水棲虫の泳ぎをアピールするために有効なアクションを実現することができる。
【００３３】
本実施形態では、本体１１の幅寸法ｂが前述の寸法に設定されているから、本体１１の形態は水棲虫にきわめて近似するという利点がある。また、ブレード１２の幅寸法ｓが前述の寸法に設定されているから、本体１１は、振動するように揺動する。これにより、水中での水棲虫の存在の存在が効果的にアピールされる。
特に、本実施形態では、ブレード１２は、透明の樹脂により構成されているので、ルアー１０が水中に投入された場合に、ブレード１２は視認されにくい。したがって、ルアー１０は、ブレード１２を備えているものの、全体としての形態が水棲虫の姿態にきわめて近似するという利点がある。
さらに、ブレード１２の平板部２３は、前述のように湾曲されているので、ルアー１０がリトリーブされたときに、本体１１の長手方向に沿って相対的に流れる水がブレード１２によってかき乱される。これにより、ルアー１０は、さらに激しく揺動し、水棲虫の存在が一層効果的にアピールされる。
【００３４】
また、位置決め機構１３が設けられているので、ブレード１２は、上記所定の保持力で本体１１に位置決めされる。したがって、ルアー１０がリトリーブされる際中にブレード１２の位置が変化することはなく、ルアー１０は、確実に揺動する。
しかも、このブレード１２は、上記保持力（静摩擦力）に抗して本体１１の長手方向にスライドされ得る。本体１１に対するブレード１２の位置が変化されることによって、本体１１に対する水の相対的流れが変化する。つまり、ブレード１２の位置によって本体１１の揺動の態様が変化する。したがって、ブレード１２の位置が釣人の所要の位置に設定されることによって、釣人は、ルアー１０を所望の揺動態様でリトリーブすることができる。
【００３５】
具体的には、ブレード１２の位置が変化されることにより、ルアー１０のアクションが変化し、あらゆる釣り場状況に合致したアクションが実現される。
ブレード１２が尾部１６側に位置する場合は、水面直下でのアクションが大きくなり、ルアー１０は引き波を立てて、その存在をアピールする。
ブレード１２が中間部１５位置する場合は、水中でのアクションが大きくなり、ルアー１０は、水面付近ではその存在を大きくアピールしない。
このように、釣人は、釣り場の状況に応じてルアー１０のアクションを設定することができる。
【００３６】
上記位置決め機構１３は、本実施形態では、上記嵌合部２４により構成され、所定のはめあいで本体１１と嵌合部２４とが嵌合する。したがって、位置決め機構１３の構造がきわめて簡単であるうえに、ブレード１２が本体１１に確実に位置決めされ、且つ本体１１に対する位置が変化されるという利点がある。
さらに、本実施形態では、本体１１の側面１７に切欠部１８が形成されているから、本体１１の側面１７は、いわゆる粗面に形成されることになる。つまり、この切欠部１８は、上記位置決め機構１３を構成することになる。したがって、本体１１が嵌合部２４に貫通された状態では、本体１１とブレード１２との間に生じる上記静摩擦力がさらに大きくなり、ブレード１２は、より確実に本体１１に位置決めされるという利点がある。
【００３７】
加えて、本体１１の上面１９に細溝２０が形成されているが、これにより、本体１１の上面１９は、いわゆる粗面に形成される。嵌合部２４の内壁面が本体１１の上面１９に接触する場合は、この細溝２０も上記位置決め機構１３を構成することになる。したがって、本体１１が嵌合部２４に貫通された状態で、本体１１とブレード１２との間に生じる上記静摩擦力がさらに大きくなり、ブレード１２は、より確実に本体１１に位置決めされ得る。
【００３８】
＜第２の実施形態＞
次に、本発明の第２の実施形態について説明される。
図４は、本発明の第２の実施形態に係るルアー３０の要部断面図であり、位置決め機構３１の構成が図示されている。
本実施形態に係るルアー３０が上記実施形態に係るルアー１０と異なるところは、上記ルアー１０の位置決め機構１３は、嵌合部２４と本体１１とのはめあい関係により実現されていたのに対し、本実施形態に係るルアー３０では、嵌合部２４に形成された凸部３２が本体１１の側面１７に形成された切欠部１８に係合することによって位置決め機構３１が実現されている点である。なお、ルアー３０のその他の構成については、上記第１の実施形態に係るルアー１０と同様である。
【００３９】
すなわち、本実施形態では、位置決め機構３１は、上記嵌合部２４と、嵌合部２４に設けられた上記凸部３２と、上記切欠部１８とを有して構成されており、この切欠部１８が位置決め機構３１の一部を兼ねている。
上記凸部３２は、嵌合部２４を構成するＬ字状部材２５及びＬ字状部材２６に突設されている。各凸部３２は、図４が示すように、各Ｌ字状部材２５、２６の内壁面に嵌合部２４の内側に突出するように形成されている。
各凸部３２の形状は、切欠部１８の形状に対応して略三角形状に形成されている。ただし、各凸部３２の形状は、切欠部１８に確実に嵌め込まれる形状であれば、他の形状が採用されてもよい。また、切欠部１８の形状が例えば円形状に形成される場合は、これに対応して、凸部３２の形状も円形に形成されるのが好ましい。
【００４０】
したがって、本体１１が嵌合部２４に貫通されたときは、嵌合部２４の凸部３２が本体１１の側面に設けられた切欠部１８に嵌め込まれる。
これにより、ブレード１２は、一層確実に本体１１に位置決め保持されることになる。しかも、上記切欠部１８は、本体１１の長手方向に沿って複数設けられているから、ブレード１２は、本体１１に対する釣人の所望の位置に確実に位置決めされる。
【００４１】
次に、本発明の第３の実施形態について説明される。
図５は、本発明の第３の実施形態に係るルアー４０の要部拡大斜視図であり、位置決め機構４１の構成が図示されている。なお、図５は、ルアー４０が裏面視された状態を図示している。また、図６は、本発明の第３の実施形態に係るルアー４０の要部拡大側面図である。
【００４２】
本実施形態に係るルアー４０が上記実施形態に係るルアー１０と異なるところは、上記ルアー１０の位置決め機構１３は、嵌合部２４と本体１１とのはめあい関係により実現されていたのに対し、本実施形態に係るルアー４０では、嵌合部２４に形成された係合爪４２が本体１１の下面に設けられた細溝２０に係合することによって位置決め機構４１が実現されている点である。なお、ルアー４０のその他の構成については、上記第１の実施形態に係るルアー１０と同様である。
【００４３】
すなわち、本実施形態では、位置決め機構４１は、上記嵌合部２４と、嵌合部２４に設けられた上記係合爪４２と、上記細溝２０とを有して構成されており、この細溝２０が位置決め機構４１の一部を兼ねている。
図５が示すように、細溝２０は、その内面形状が略Ｖ字状に形成されている。もっとも、細溝２０の内面形状は、略Ｖ字状に限定されるものではなく、円形状でも多角形状であってもよいことは勿論である。
【００４４】
一方、ブレード２４の係合爪４２は、嵌合部２４と一体的に形成されている。本実施形態では、嵌合部２４は、環状に形成されているが、上記第１の実施形態と同様にＬ字状部材が組み合わされたものでもよい。
係合爪４２は、図６が示すように、断面形状が略Ｌ字状に形成されており、その先端部４３が屈曲されている。この先端部４３の形状は、細溝２０の内面形状に対応して略Ｖ字状に形成されている。ただし、先端部４３の形状は、細溝２０に確実に嵌め込まれる形状であれば、他の形状が採用され得る。
【００４５】
本体１１がブレード１２に貫通されたときは、図６が示すように、係合爪４２が細溝２０に嵌め込まれる。これにより、ブレード１２は、一層確実に本体１１に位置決め保持されることになる。しかも、上記細溝２０は、本体１１の長手方向に沿って複数設けられているから、ブレード１２は、本体１１に対する釣人の所望の位置に確実に位置決めされる。
【００４６】
なお、係合爪４２は、嵌合部２４と一体的に形成されており、前述したように例えば、スチレン−ブタジエン共重合体樹脂等により構成される。したがって、係合爪４２が釣人によって弾性的に変形されることによって、係合爪４２と細溝２０との嵌合が解除され、これにより、ブレード１２は、本体１１に対してスライドすることが可能である。
また、本実施形態において、細溝２０の内面形状が円形状や多角形状に形成された場合は、これに対応して、上記係合爪４２の形状も円形状や多角形状に形成されるのが好ましい。
【００４７】
図７は、本実施形態の変形例に係るルアー４０の要部拡大斜視図であり、位置決め機構４１の構成が図示されている。なお、図７は、ルアー４０が裏面視された状態を図示している。また、図８は、本変形例に係るルアー４０の要部拡大側面図である。
同図が示すように、本変形例に係るルアー４０では、本体１１に円形凹部４５が設けられている。この円形凹部４５は、本体１１の長手方向に沿って規則的に（所定ピッチで）複数設けられている。そして、本変形例では、位置決め機構４１は、嵌合部２４に突設された半球状突起４６と上記円形凹部４５とにより構成され、両者が嵌合することによってブレード１２が本体１１に位置決めされる。
このように上記半球状突起４６が上記円形凹部４５と嵌合する構成が採用されることによって、ブレード１２の本体１１に対するスライド及び位置決めがより簡単なものとなる。
【００４８】
【発明の効果】
以上のように本発明によれば、水棲虫の姿態に近似した形態の本体にブレードが設けられているので、ルアー全体としての形態が水棲虫に近似しつつ、しかもその泳ぐ姿が生きた水棲虫に似たものとなる。特にブレードが透明に構成されることによって、水中でのルアーの形態は、生きたい水棲虫にきわめて近似する。さらに、本体に対するブレードの位置は、釣人によって調整され得るので、ルアーがリトリーブされるときの姿勢（泳ぐ姿）は、釣人にとって所望のものに調整される。
【図面の簡単な説明】
【図１】図１は、本発明の第１の実施形態に係るルアーの斜視図である。
【図２】図２は、図１におけるＩＩ−ＩＩ断面図である。
【図３】図３は、図１におけるＩＩＩ−ＩＩＩ断面図である。
【図４】図４は、本発明の第２の実施形態に係るルアーの要部断面図である。
【図５】図５は、本発明の第３の実施形態に係るルアーの要部拡大斜視図である。
【図６】図６は、本発明の第３の実施形態に係るルアーの要部拡大側面図である。
【図７】図７は、本発明の第３の実施形態の変形例に係るルアーの要部拡大斜視図である。
【図８】図８は、本発明の第３の実施形態の変形例に係るルアーの要部拡大側面図である。
【図９】図９は、従来のルアーの斜視図である。
【符号の説明】
１０・・・ルアー
１１・・・本体
１２・・・ブレード
１３・・・位置決め機構
１４・・・頭部
１５・・・中間部
１６・・・尾部
１７・・・側面
１８・・・切欠部
１９・・・上面
２０・・・細溝
２３・・・平板部
２４・・・嵌合部
３０・・・ルアー
３１・・・位置決め機構
３２・・・凸部
４０・・・ルアー
４１・・・位置決め機構
４２・・・係合爪
４３・・・先端部
４５・・・円形凹部
４６・・・半球状突起
【図１】
2004357597.tif 000003
【図２】
2004357597.tif 000004
【図３】
2004357597.tif 000005
【図４】
2004357597.tif 000006
【図５】
2004357597.tif 000007
【図６】
2004357597.tif 000008
【図７】
2004357597.tif 000009
【図８】
2004357597.tif 000010
【図９】
2004357597.tif 000011